(57)【要約】【課題】  下部屋根と上部屋根とからなる２層タイプの屋根において、その馳締タイプの下部屋根の馳締部に簡易且つ迅速に装着して上部屋根を支持するものであって、しかもその構造を極めて簡単且つ低価格に提供することができる受金具に関する。【解決手段】  頂部１と、該頂部１の左右両端から下方側に折曲形成された脚部２，２と、該両脚部２，２のそれぞれの幅方向の少なくとも一方側端縁より内方に向かって対向するように折曲形成され，且つ馳締部の全体又は一部を挟持押圧する挟持部３，３と、前記両脚部２，２を近接する方向に締付ける締付具４とからなること。前記頂部１，脚部２，２及び挟持部３，３は、１枚の金属板から一体的に折曲形成されると共に、前記脚部２，２は前記頂部１との折曲箇所に対して下方側が拡開状態とされること。その対向する前記両挟持部３，３は、両脚部２，２とともに適宜の間隔をおいて離間してなること。【選択図】      図１
2006028759.tif 000002
【特許請求の範囲】
【請求項１】
頂部と、該頂部の左右両端から下方側に折曲形成された脚部と、該両脚部のそれぞれの幅方向の少なくとも一方側端縁より内方に向かって対向するように折曲形成され，且つ馳締部の全体又は一部を挟持押圧する挟持部と、前記両脚部を近接する方向に締付ける締付具とからなり、前記頂部，脚部及び挟持部は、１枚の金属板から一体的に折曲形成されると共に、前記脚部は前記頂部との折曲箇所に対して下方側が拡開状態とされ、対向する前記両挟持部は、両脚部とともに適宜の間隔をおいて離間してなることを特徴とする受金具。
【請求項２】
請求項１において、前記両脚部の下端には、外方下向に折曲された傾斜ガイド片が形成されてなることを特徴とする受金具。
【請求項３】
請求項１又は２において、前記挟持部は、前記両脚部のそれぞれの幅方向両側端縁に形成されてなることを特徴とする受金具。
【請求項４】
請求項１，２又は３において、対向する前記両挟持部の下部位置には、前記押圧端縁が形成されてなることを特徴とする受金具。
【請求項５】
請求項４において、対向する前記両挟持部には、前記押圧端縁の上方位置に馳締部上部箇所を収納する凹部が形成されてなることを特徴とする受金具。
【請求項６】
請求項１，２，３，４又は５において、対向する前記両挟持部の下部箇所の離間間隔は、前記馳締部が通過可能な程度としてなることを特徴とする受金具。
【請求項７】
請求項１，２，３，４，５又は６において、前記頂部の幅方向の少なくとも一方には下方側に折曲されるリブが形成されてなることを特徴とする受金具。
【請求項８】
請求項１，２，３，４，５，６又は７において、前記脚部のいずれか一方側には、前記締付具の空転を防止する回り止部が形成されてなることを特徴とする受金具。
【請求項９】
請求項１，２，３，４，５，６，７又は８において、前記頂部は、左右方向の適宜の位置に立上り段部が形成されて、該立上り段部を介して高位面と低位面とが形成されてなることを特徴とする受金具。
【請求項１０】
請求項１，２，３，４，５，６，７，８又は９において、前記頂部には、合成樹脂からなる断熱ベースが装着されてなることを特徴とする受金具。
【請求項１１】
請求項１０において、前記断熱ベースの裏面側には位置決め突起が形成され、前記受金具の頂部には前記位置決め突起が挿入する位置決め孔が形成されてなることを特徴とする受金具。
【発明の詳細な説明】
【技術分野】
【０００１】
本発明は、下部屋根と上部屋根とからなる２層タイプの屋根において、その馳締タイプの下部屋根の馳締部に簡易且つ迅速に装着して、上部屋根を支持するものであって、しかもその構造を極めて簡単且つ低価格に提供することができる受金具に関する。
【背景技術】
【０００２】
従来より下部屋根と上部屋根とからなる２層タイプの屋根が多く存在している。これらの屋根は、新設の２層タイプの屋根とともに、既設の屋根に新たに屋根を新設した改修屋根も含まれる。その下部屋根は、金属製の折板屋根が種々の建造物で多く使用されている。この種の屋根において、下馳部と上馳部とが形成された屋根板材が存在し、その隣接する屋根板材同士の下馳部と上馳部とが共に巻き付けられるようにして、馳締部を形成しつつ、屋根板材同士を連結して施工するものがある。
【０００３】
この下部屋根上に上部屋根を葺成するために、下部屋根には受金具が設置される。特に下部屋根が馳締タイプのものであれば、その馳締部を利用して受金具が下部屋根に固定される。この種の馳締部を利用して固定する受金具の多くは、その馳締部を挟持する状態で固定するタイプのものである。具体的には、特許文献１に示されるように、主に左右に分離した２部材から構成されるものが多く存在している。
【特許文献１】特開２００２−１６７９０９
【発明の開示】
【発明が解決しようとする課題】
【０００４】
たとえば、上記特許文献１において開示されている受金具は、２つの挾着片から構成されているものであり、左右方向に２部材構成となっており、それぞれの挾着片は、金属板が複雑に折り曲げられるプレス加工により形成されたものである。さらに上記２つの挾着片は、ボルト・ナットにより連結固定されたものである。この特許文献１に記載されたようなタイプの受金具では、前述したように、２部材から構成されているので部品点数が多くなる。
【０００５】
さらに、現場での下部屋根の馳締部への据え付けに際しても、２部材からなる受金具は、まず左右の主要な部材をボルト・ナットを緩めて、２部材を引き離した状態で、馳締部を挟持するようにして前記ボルト・ナットを締めつけ、固定するものである。すなわち、受金具を構成する左右の２部材を引き離し、馳締部に載置し、再度ボルト・ナットを締めつけて固定する工程を必要とする。
【０００６】
また、ボルト・ナットで締め付ける際にも、左右の２部材が安定せず、相互に不安定な状態で締付固定されてしまうおそれもあり、ひいては、２層屋根の施工自体も不良な状態になるおそれがある。本発明が解決しようとする技術的課題（又は目的）は、受金具を構成する部材を最小限とし、且つ構造を簡単なものとして低価格にて提供するとともに、現場の施工において簡易且つ迅速に行なうことができ、極めて効率的な作業とすることにある。
【課題を解決するための手段】
【０００７】
そこで、発明者は、上記課題を解決すべく、鋭意，研究を重ねた結果、本発明を、頂部と、該頂部の左右両端から下方側に折曲形成された脚部と、該両脚部のそれぞれの幅方向の少なくとも一方側端縁より内方に向かって対向するように折曲形成され，且つ馳締部の全体又は一部を挟持押圧する挟持部と、前記両脚部を近接する方向に締付ける締付具とからなり、前記頂部，脚部及び挟持部は、１枚の金属板から一体的に折曲形成されると共に、前記脚部は前記頂部との折曲箇所に対して下方側が拡開状態とされ、対向する前記両挟持部は、両脚部とともに適宜の間隔をおいて離間してなる受金具としたことにより、上記課題を解決したものである。
【０００８】
次に、前述の構成において、前記両脚部の下端には、外方下向に折曲された傾斜ガイド片が形成されてなる受金具としたり、前記挟持部は、前記両脚部のそれぞれの幅方向両側端縁に形成されたり、対向する前記両挟持部の下部位置には、前記押圧端縁が形成されてなる受金具としたことにより、上記課題を解決したものである。また、対向する前記両挟持部には、前記押圧端縁の上方に馳締部上部箇所を収納する凹部が形成されたり、対向する前記両挟持部の離間間隔は、前記両押圧端縁間を前記馳締部が通過可能な程度とすることにより、上記課題を解決したものである。
【０００９】
さらに、前述の構成において、前記頂部の幅方向の少なくとも一方には下方側に折曲されるリブが形成されたり、前記脚部のいずれか一方側には、前記締付具の空転を防止する回り止部が形成されたことにより、上記課題を解決したものである。また、前記頂部は、左右方向の適宜の位置に立上り段部が形成されて、該立上り段部を介して高位面と低位面とが形成されたり、前記頂部には、合成樹脂からなる断熱ベースが装着されたり、前記断熱ベースの裏面側には位置決め突起が形成され、頂部には前記位置決め突起が挿入する位置決め孔が形成されてなる受金具としたことにより、上記課題を解決したものである。
【発明の効果】
【００１０】
請求項１の発明によれば、本発明の受金具は１枚の金属板から一体的に折曲形成され、その部品点数を最小限とし、また建築現場において下部屋根の馳締部に装着且つ固定することが簡易且つ迅速にできる。すなわち、本発明における受金具は、両脚部は下方にて拡開され、且つ挟持部は適宜の間隔をおいて離間しているので、下部屋根の馳締部箇所に配置するのみで馳締部を両挟持部で挟む状態とすることができ、その後は締付具を介して締め付けるのみで受金具を下部屋根の馳締部箇所に固定することができ、その作業は極めて簡単なものであり、且つ短時間に完了させることができ、ひいては、屋根の施工を短期間に行なうことができるものである。
【００１１】
次に、請求項２の発明によれば、両脚部の下端に外方下向に折曲された傾斜ガイド片によって、下部屋根に安定した状態に載置固定することができる。次に、請求項３の発明によれば、両脚部の幅方向両側端縁に挟持部が形成されることとなり、１つの受金具は、その前後方向（脚部の幅方向）において２箇所で馳締部を挟持することができ、その固定力をより一層強固にすることができる。
【００１２】
次に、請求項４の発明によれば、特に下部屋根の馳締部の首部を締め付けることができ、受金具を極めて強固に下部屋根に装着することができる。次に、請求項５の発明によれば、挟持部に凹部が形成されたことによって、挟持部を長方形の板片状に形成することができる。すなわち、凹部に馳締部上部を収納することにより、馳締部を両挟持部で締め付けるときに、挟持部と馳締部上部が相互に干渉することがなく、且つ前記両挟持部は略長方形板片状であるために、相互に適正に当接して、締付具による締付け過ぎを防止することができ、ひいては不良施工を防止できる。
【００１３】
請求項６の発明によれば、対向する前記両挟持部の離間間隔は、前記両押圧端縁間を前記馳締部が通過可能な程度としているので、両脚部の開き具合は最小限にすることができ、締付具による締付量も最小限にでき、作業効率を向上させることができる。次に、請求項７の発明によれば、受金具の頂部の力学的強度を強化し、これによって、強固な屋根を施工することができる。
【００１４】
また、請求項８の発明によれば、前記締付具の締付け作業を行ないやすくすることができる。次に、請求項９の発明によれば、立上り段部を介して高位面と低位面とが形成されたことで、２層タイプの屋根において、上部屋根が馳締タイプとする場合に好適なものにできる。
【００１５】
次に、請求項１０の発明によれば、前記頂部には、合成樹脂からなる断熱ベースが装着されることで、上部屋根と下部屋根との間の熱伝達を遮断し、保温性のある屋根にすることができる。さらに、請求項１１の発明によれば、前記断熱ベースを位置決め突起を介して受金具の頂部に正確に装着することができる。
【発明を実施するための最良の形態】
【００１６】
以下、本発明を図面に基づいて説明する。まず、本発明は、図３，図４及び図１３乃至図１６に示すように、下部屋根Ｂと上部屋根Ｃとからなる２層タイプの屋根において、上部屋根Ｃを支持するための受金具Ａである。この２層タイプの屋根には、新設の屋根の場合とともに、下部屋根Ｂを既設屋根とし、その下部屋根Ｂ上に新設屋根となる上部屋根Ｃを施工する改修屋根の場合も含まれる。そして、本発明においては、２層タイプの屋根の下部屋根Ｂは、前述のいずれにおいても馳締タイプの屋根である。なお、この下部屋根Ｂ及び上部屋根Ｃは、屋根以外として壁等の外囲体も含む。すなわち、下部屋根Ｂは下部壁又は内部壁とし、上部屋根Ｃは、上部壁又は外部壁とすることもある。
【００１７】
その受金具Ａは、図１（Ａ），（Ｂ）に示すように、頂部１と、該頂部１の左右方向両端から折曲されて形成された脚部２，２と、該両脚部の適宜の一部が折曲されて形成された馳締部１３を挟持する挟持部３，３と、前記両脚部２，２を近接する方向に締付ける締付具４とから構成される。ここで、頂部１の左右方向とは、図１（Ａ），（Ｂ）に示すように、受金具Ａを正面側から見てその左右方向に等しい方向であり、また換言すると頂部１の長手方向である。さらに、図１（Ｂ）に示された図の左右方向が頂部１の左右方向となる。上記頂部１，脚部２，２及び挟持部３，３は、１枚の金属板から適宜に折曲してプレス加工等により行なわれるものである。図５は、その受金具Ａの展開図であり、金属板材からこの展開図と同様の形状を形成し、所定箇所を折曲して受金具Ａが形成される。この展開図により、本発明における受金具Ａは、１枚の金属板からプレス成形することが可能である。なお、図５の展開図で一点鎖線は、折り曲げ箇所を示している。
【００１８】
また、前記頂部１は、図１（Ａ），（Ｂ）に示すように、その左右方向（図において左右に延びる方向）の適宜の箇所には、立上り段部１ａが形成され、該立上り段部１ａを介して低位面１ｂと高位面１ｃとが形成される。上記立上り段部１ａは、折曲によるプレス加工であり、その立上り段部１ａの形成により前記低位面１ｂ及び高位面１ｃが形成される。その低位面１ｂには、取付け部１ｄが形成され、後述する吊子６がボルト等の固着具を介して載置固着されるようになっている。
【００１９】
その取付け部１ｄは、図１（Ｂ）に示すように、貫通孔として形成されたものであり、前記低位面１ｂの裏面側から、前記取付け部１ｄ箇所にナット１ｄ1 が固着されることにより内螺子が設けられる。又は貫通孔とした取付け部１ｄに内螺子が形成されるものであっても構わない。この取付け部１ｄには、ボルトを介して前記吊子６が固着される。また、前記低位面１ｂと高位面１ｃに亘って、断熱ベース５が設置され、該断熱ベース５を介して前記吊子が受金具Ａと断熱状態で設置されることもある。前記高位面１ｃ側には、前記断熱ベースのために位置合わせ孔１ｅが形成されている。
【００２０】
その頂部１の幅方向の両側には、図１（Ａ），（Ｂ）に示すように、リブ１ｆ，１ｆが形成され、頂部１を補強している。このリブ１ｆ，１ｆは、前記頂部１の左右方向に沿って形成され、頂部１の下方に向かって、略垂下状に形成されたものである。このリブ１ｆ，１ｆは、前記立上り段部１ａの形成箇所にも形成されている。また、前記リブ１ｆは、図８（Ｂ）に示すように、頂部１の幅方向の両側端に形成されたり、或いは、図９（Ｂ）に示すように、頂部１の幅方向の一方側端に形成されることもある。
【００２１】
次に、脚部２，２は、前記頂部１の左右方向両側端から折曲形成されたものである。具体的には、図１（Ａ），（Ｂ）に示すように、頂部１に対して脚部２，２の下方側が拡開するように折曲形成されている。この脚部２，２は、後述する締付具４の締付により、図２（Ａ），（Ｂ）に示すように、頂部１に対して略直角とすることができる。その脚部２，２の長さは、２層屋根を構成するのに適当な長さを有している。この両脚部２，２は、頂部１との折曲箇所を中心にして締付具４等による外部から力を加えて拡開状態から両脚部２，２の下方が近接することができる。両脚部２，２には、締付け用の貫通孔２ａ，２ａが形成され、ボルト・ナットから構成される締付具４が挿通されている〔図１（Ｂ）参照〕。
【００２２】
さらに、その両脚部２，２の下端には、図１（Ａ），（Ｂ）に示すように、傾斜ガイド片２ｂ，２ｂが形成されている。該傾斜ガイド片２ｂ，２ｂは、前記両脚部２，２の下端から外方下向に傾斜状に折曲形成されている。該傾斜ガイド片２ｂ，２ｂは、図３，図４及び図１３乃至図１６に示すように、後述する２層タイプの屋根における下部屋根Ｂの山形部の傾斜面に沿って略当接状態となり、受金具Ａの装着状態を安定させる役目をなしている。したがって、両脚部２，２を前記締付具４によって閉じて、馳締部１３を締めつけた状態で、前記傾斜ガイド片２ｂ，２ｂの傾斜角度は、下部屋根Ｂの両立上り側部１１，１１の傾斜面に略等しい傾斜角度とすることが好ましい。また、前記両脚部２，２の拡開状態は、後述する挟持部３，３において、受金具Ａを下部屋根Ｂの上方より降ろしたときに、両脚部２，２の間隔に下部屋根Ｂの馳締部１３を通過させることが可能な程度である〔図６（Ａ）乃至（Ｂ）参照〕。
【００２３】
次に、挟持部３，３は、受金具Ａを下部屋根Ｂの馳締部１３に装着する際に、その馳締部１３を挟持して受金具Ａを下部屋根Ｂに固定させる役目をなすものである。その挟持部３，３は、前記両脚部２，２に折曲形成されたものである。その挟持部３，３は、脚部２の幅方向両端から受金具Ａの内方側に向かって折曲されたものである。ここで、受金具の内方側とは、図１，図７，図８（Ａ）等に示すように、両脚部２，２で囲まれた内部側のことをいう。具体的には、それぞれの挟持部３は、板片状をなしており、両脚部２，２に形成された挟持部３，３が下部屋根Ｂにおいて、受金具Ａの左右方向の中心にて対向して略当接又は近接する状態となる。挟持部３，３の上端は、前記頂部１との間に適宜の間隔を有するようになっている。
【００２４】
また、前記挟持部３，３の下部位置には、押圧端縁３ａ，３ａが形成されている。該押圧端縁３ａ，３ａは、下部屋根Ｂの馳締部１３の首部１３ｃを左右両側面より当接し、且つ後述する締付具４を締付けることにより押圧するものである。この両押圧端縁３ａ，３ａは、図２，図４に示すように、実際に受金具Ａを下部屋根Ｂの馳締部１３に固定させる役目をなすものである。その押圧端縁３ａの上方には、凹部３ｂが形成されている。この凹部３ｂは、前記両脚部２，２に形成されて対向する挟持部３，３にそれぞれ形成されている。
【００２５】
そして、受金具Ａの左右方向中央にて対向する挟持部３，３が当接又は近接したときに、両凹部３ｂ，３ｂ内に下部屋根Ｂの馳締部１３が収納されるようになっている（図４参照）。したがって、受金具Ａの左右方向中央にて対向する挟持部３，３の凹部３ｂ，３ｂは、ちょうど下部屋根Ｂの馳締部１３の断面形状に略等しい形状である。さらに、凹部３ｂの別のタイプの形状としては、図１０（Ａ），（Ｂ）に示すように、押圧端縁３ａ，３ａの上方において、挟持部３，３の上端まで切除されたものが存在する。
【００２６】
また、挟持部３，３の下端縁３ｃ，３ｃは、下部屋根Ｂの山形部において、馳締部１３の両側の上面部に当接する部位となっている。そして、下部屋根Ｂの山形部１６上部における馳締部１３の両側面が傾斜状であれば、前記下端縁３ｃ，３ｃはその傾斜に合わせた傾斜を有している（図４参照）。その挟持部３は、図８（Ａ）に示すように、一つの脚部２に対して、幅方向両側にそれぞれ形成されている。すなわち、一つの脚部２には、２つの挟持部３，３が形成される。しかしながら、１つの脚部２には、必ずしもその幅方向両側に２つの挟持部３，３を形成することはなく、図９（Ａ）に示すように、脚部２の幅方向のいずれか一方側に挟持部３が形成されてもかまわない。この場合、他方側の脚部２に形成される挟持部３は、前記一方側の脚部２に形成される挟持部３と対向するように形成される必要がある。なお脚部２の幅方向とは、受金具Ａの前後方向に沿った方向である〔図１（Ａ）及び図８，図１０乃至図１２等参照〕。
【００２７】
次に、前記両脚部２，２に形成された貫通孔２ａ，２ａには、前記締付具４が挿通されている。該締付具４は、具体的には、図１（Ｂ）に示すように、ボルト４ａ，ナット４ｂから構成されている。そして、前記ボルト４ａが両脚部２，２の貫通孔２ａ，２ａに挿通され、ナット４ｂによって、両脚部２，２が締め付けられて、両脚部２，２が閉じるように移動し、両脚部２，２にそれぞれ形成された挟持部３，３が当接又は近接する。この締付具４の締付けによって、両挟持部３，３に形成された両押圧端縁３ａ，３ａによる馳締部１３の首部１３ｃを締めつけることができる。
【００２８】
前記脚部２，２のいずれか一方の貫通孔２ａの付近には、図１，図７等に示すように、回り止部２ｃが形成されている。該回り止部２ｃは、前記締付具４のボルト４ａのボルト頭のいずれかの平坦面に当接して、ボルト４ａが貫通孔２ａ，２ａに対して空転することを防止し、ナット４ｂによる締付作業を行ない易くする役目をなすものである。この回り止部２ｃは、両脚部２，２のいずれか一方で、ボルト頭部が位置する側の一部を切り抜いて、この部分を切り起こすことによって形成されるものである。
【００２９】
また、回り止部２ｃは、脚部２とは別部材（独立した部材）として、金属片等を溶接手段にて固着したものであっても構わない。このように、本発明の受金具Ａの頂部１，脚部２，２及び挟持部３，３は、１枚の金属板から折曲加工により形成され、完成した受金具Ａは、締付具４及び断熱ベース５等の部材を除いて、一体的に形成することができる。すなわち、受金具Ａの下部屋根Ｂへの装着においても略１部材からなるものであり、現場での取り扱いも簡単であり、部品の紛失等も最小限に抑えることができる。
【００３０】
次に、前記断熱ベース５は、図２，図４等に示すように、受金具Ａの頂部１に配置されるものである。その断熱ベース５は、合成樹脂にて形成されたものであり、具体的には、プラスチック材等にて形成されている。また、断熱性を有し且つ建築用材として使用できるものであれば、その材質は限定されない。この断熱ベース５は、その裏面側が受金具Ａの頂部１の形状に対応して載置することができるようになっているもので、立上り段部５ａの両側に段違いとなる面となるように、低位面５ｂと高位面５ｃとが存在している。その低位面５ｂには、吊子６が配置固着される。また高位面５ｃには、上部屋根Ｃの山形頂部を裏面側より支持するものである。その高位面５ｃは、平坦面としたり、または上部屋根Ｃの山形頂部の傾斜に合わせて傾斜面とすることもある。
【００３１】
さらに、後述する上部屋根Ｃを構成する上部屋根板材Ｃ1 ，Ｃ1 ，…が隣接し、キャップ材を介して嵌合連結されるタイプや、隣接する上部屋根板材Ｃ1 ，Ｃ1 が重合して連結されるタイプに応じて、断熱ベース５の上面形状も適応させている。すなわち、断熱ベース５の上面が左右方向に対称形状で、中央箇所が平坦面であり、その両側が緩やかな傾斜面となっている。或いは、その断熱ベース５の上面は、平坦状に形成されることもある。さらに、その断熱ベース５の中央箇所には、図１２に示すように、固定用螺子軸７が植設されている。この固定用螺子軸７は、後述する吊子６を固定する役目をしたり（図１４参照）、或いは隣接する上部屋根板材Ｃ1 ，Ｃ1 の重合された山形部同士を固定する役目をなすものである（図１６参照）。
【００３２】
下部屋根Ｂは、複数の下部屋根板材Ｂ1 ，Ｂ1 ，…から構成される。該下部屋根板材Ｂ1 は、主板１０の幅方向両側より立上り側部１１，１１が形成されている。その立上り側部１１，１１の上端には略平坦状とした上片部１２が形成されている。該上片部１２は外方上向きに僅かな角度にて傾斜している。そして、その上片部１２の外端から下馳部１３ａが形成され，他方の上片部１２には上馳部１３ｂが形成されている。そして、このような屋根板材Ｂ1 ，Ｂ1 ，…を複数並設し、隣接する下部屋根板材Ｂ1 ，Ｂ1 同士の前記下馳部１３ａと上馳部１３ｂとを共に馳締めして連結し、屋根を施工する。
【００３３】
その下馳部１３ａ及び上馳部１３ｂは、図４（Ａ）に示すように、円弧状をなしている。また、図４（Ｂ）に示すように、下馳部１３ａ及び上馳部１３ｂが共に略三角形状に折曲形成されたタイプも存在する。なお、前記受金具Ａの挟持部３，３に形成された凹部３ｂ，３ｂの形状は、馳締部１３の形状により対応したものとなっている〔図４（Ａ），（Ｂ）参照〕。また、その馳締部１３には、前記下馳部１３ａと上馳部１３ｂとにより垂直状に形成された部位を有している。この垂直状部位は、馳締部１３の下部に位置しており、首部１３ｃと称する。前記受金具Ａの挟持部３，３の押圧端縁３ａ，３ａは、この馳締部１３の首部１３ｃを押圧挟持するものである。
【００３４】
次に、上部屋根Ｃは、上部屋根板材Ｃ1 ，Ｃ1 ，…から構成されており、複数のタイプが存在する。上部屋根板材Ｃ1 は、金属製折板であり、主板１５の幅方向両側に山形部１６，１６が形成され、該山形部１６，１６には連結屈曲部１７，１７が形成されている。この連結屈曲部１７，１７には、複数のタイプが存在し、その第１タイプでは、前述した下部屋根Ｂと同様に馳締タイプがある。すなわち連結屈曲部１７，１７の一方が下馳部１７ａであり、他方が上馳部１７ｂである（図３，図４等参照）。この馳締タイプの上部屋根Ｃでは、下馳部１７ａと上馳部１７ｂが共に巻き付けられる舌片を備えた吊子６を介して前記受金具Ａの頂部１に固着される。
【００３５】
また、連結屈曲部１７，１７の第２タイプとしては、キャップ材１７ｄ及び吊子６を介して連結屈曲部１７，１７の被嵌合部１７ｃ，１７ｃに嵌合固定する嵌合タイプである（図１３，図１４参照）。このタイプでは、前記受金具Ａの頂部１が平坦状に形成されたものが好適である。或いは前記断熱ベース５の上面が略平坦状に形成されたものが好適である。さらに、連結屈曲部１７，１７の第３のタイプとしては、重合タイプのものであり、両連結屈曲部１７，１７が重合され、この重合された連結屈曲部１７，１７の頂部同士が受金具Ａに垂直に設けられたボルトに貫通されてナットにて締付け固定され、上部屋根Ｃが構成されたものである（図１５，図１６参照）。上記第２及び第３タイプの連結屈曲部１７，１７では、図１２に示すように、受金具Ａの頂部１には固定用螺子軸７が植設されたものが好適である。
【００３６】
次に、本発明の受金具Ａを下部屋根Ｂの馳締部１３に装着する工程について説明する。まず、その受金具Ａは、前記脚部２，２は前記頂部１との折曲箇所に対して下方側が拡開状態とされ、対向する前記両挟持部３，３は、両脚部２，２とともに適宜の間隔をおいて離間した状態で、建築現場に提供される。その両挟持部３，３の下部の離間間隔は、前記馳締部１３が通過可能な程度で、具体的には、両押圧端縁３ａ，３ａを馳締部１３が通過することができるようになっている。このとき、両挟持部３，３の下部の離間間隔はなるべく小さい方が締付具４による締付量が少なく作業時間を短縮できる。その受金具Ａは、下部屋根Ｂの馳締部１３の直上に位置させて、そのまま馳締部１３箇所に降ろしてゆく〔図６（Ａ），（Ｂ）参照〕。このとき、受金具Ａを左右方向に揺らすようにして馳締部１３箇所に押しつけて、下部屋根Ｂ上に配置することもある。
【００３７】
このようにして、その受金具Ａは、両挟持部３，３で馳締部１３を跨ぐようにして、該馳締部１３両側に位置する上片部１２，１２に載置される〔図６（Ｃ）参照〕。次に、締付具４のナット４ｂをボルト４ａに対して締め付けることで、両脚部２，２が互いに近接し、両挟持部３，３の下部の離間間隔が次第に狭くなり、両押圧端縁３ａ，３ａが馳締部１３の首部１３ｃ両側を押圧することになる。そして締付具４の締付が完了すると、両押圧端縁３ａ，３ａは、馳締部１３の首部１３ｃを両側より強固に押圧した状態であり、且つ挟持部３，３の下端縁３ｃ，３ｃが下部屋根Ｂの上片部１２，１２に当接する。
【００３８】
さらに受金具Ａの左右両側の両傾斜ガイド片２ｂ，２ｂが下部屋根Ｂの立上り側部１１，１１に当接して、安定した受金具Ａの装着状態にすることができる〔図４（Ａ），（Ｂ）参照〕。このように、本発明の受金具Ａは、現場に搬入された状態で、直ぐに下部屋根Ｂの馳締部１３箇所に配置し、あとは締付具４により締付けるのみで極めて簡単に施工することができるものである。しかも受金具Ａは、略単一部材であり、現場で分解等する必要がなく、従来タイプの２部材以上からなる受金具よりも扱い易さにおいて、極めて有利なものであるといえる。
【図面の簡単な説明】
【００３９】
【図１】（Ａ）は本発明の受金具の斜視図、（Ｂ）は受金具の縦断正面図である。
【図２】（Ａ）は受金具を下部屋根の馳締部に装着した状態と前記受金具から分離した吊子の斜視図、（Ｂ）は吊子と断熱ベースを分離した受金具を下部屋根の馳締部に装着した状態の正面図である。
【図３】本発明の受金具にて２層タイプの屋根を施工した正面略示図である。
【図４】（Ａ）は本発明の受金具にて２層タイプの屋根を施工した要部の拡大正面図、（Ｂ）は下部屋根の馳締部を三角形状とした要部の拡大正面図である。
【図５】受金具の展開図である。
【図６】（Ａ）は受金具を下部屋根の馳締部に固定しようとする工程図、（Ｂ）は受金具の凹部内に馳締部を配置した状態の工程図、（Ｃ）は受金具が下部屋根の馳締部箇所に適正に配置された状態の工程図である。
【図７】（Ａ）は受金具の両挟持部を閉じた状態の縦断正面図、（Ｂ）は受金具の脚部に形成された回り止部箇所の斜視図である。
【図８】（Ａ）は図１（Ａ）のＸ1 −Ｘ1 矢視端面図、（Ｂ）は図１（Ａ）のＸ2 −Ｘ2 矢視断面図である。
【図９】（Ａ）は図８（Ａ）において脚部の幅方向一方側にのみ挟持部が形成された断面図、（Ｂ）は図８（Ａ）において頂部の幅方向一方側にのみリブが形成された断面図である。
【図１０】（Ａ）は凹部の変形例を有する受金具にて２層タイプの屋根を施工した要部の拡大正面図、（Ｂ）は凹部の変形例を有する受金具の斜視図である。
【図１１】本発明における受金具でリブ及び傾斜ガイド片が形成されないタイプの斜視図である。
【図１２】本発明における受金具で頂部が平坦状に形成されたタイプの斜視図である。
【図１３】本発明の受金具にて上部屋根を嵌合タイプとした２層タイプの屋根を施工した正面略示図である。
【図１４】図１３の要部の一部断面とした拡大正面図である。
【図１５】本発明の受金具にて上部屋根を重合タイプとした２層タイプの屋根を施工した正面略示図である。
【図１６】図１５の要部の一部断面とした拡大正面図である。
【符号の説明】
【００４０】
１…頂部
１ｆ…リブ
１ａ…立上り段部
１ｃ…高位面
１ｂ…低位面
２…脚部
２ｂ…傾斜ガイド片
３…挟持部
３ａ…押圧端縁
３ｂ…凹部
４…締付具
５…断熱ベース
【図１】
2006028759.tif 000003
【図２】
2006028759.tif 000004
【図３】
2006028759.tif 000005
【図４】
2006028759.tif 000006
【図５】
2006028759.tif 000007
【図６】
2006028759.tif 000008
【図７】
2006028759.tif 000009
【図８】
2006028759.tif 000010
【図９】
2006028759.tif 000011
【図１０】
2006028759.tif 000012
【図１１】
2006028759.tif 000013
【図１２】
2006028759.tif 000014
【図１３】
2006028759.tif 000015
【図１４】
2006028759.tif 000016
【図１５】
2006028759.tif 000017
【図１６】
2006028759.tif 000018